【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
特定のオブジェクトを検出する検出手段と、
前記検出手段により特定のオブジェクトが検出された場合、映像データの処理を行う複数の他の映像処理装置のうちの当該特定のオブジェクトを含む第１の距離の範囲外に属する他の映像処理装置と、前記第１の距離の範囲内に属する他の映像処理装置とのうち、少なくとも何れか１つに対して、前記特定のオブジェクトの検出処理を制限させるための要求を送信する送信手段と
を有することを特徴とする映像処理装置。
【請求項２】
前記送信手段は、前記第１の距離の範囲内に属する他の映像処理装置に対して、映像データから前記特定のオブジェクトを検出する処理を制限させるための要求を送信すると共に、前記特定のオブジェクトの存在を検出するための外部センサを用いた前記特定のオブジェクトの検出処理を開始させるための要求を送信することを特徴とする請求項１に記載の映像処理装置。
【請求項３】
前記送信手段は、前記第１の距離の範囲外に属する他の映像処理装置に対して、映像データから前記特定のオブジェクトを検出する処理を制限させるための要求を送信すると共に、前記特定のオブジェクトの存在を検出するための外部センサを用いた前記特定のオブジェクトの検出処理を制限させるための要求を送信することを特徴とする請求項１または２に記載の映像処理装置。
【請求項４】
前記送信手段は、前記検出手段で前記特定のオブジェクトが検出されなくなった場合、前記第１の距離よりも大きい第２の距離の範囲外に属する他の映像処理装置に対して、映像データから前記特定のオブジェクトを検出する処理を制限させるための要求を送信すると共に、前記特定のオブジェクトの存在を検出するための外部センサを用いた前記特定のオブジェクトの検出処理を制限させるための要求を送信することを特徴とする請求項１乃至３の何れか１項に記載の映像処理装置。
【請求項５】
前記送信手段は、前記検出手段で前記特定のオブジェクトが検出されなくなった場合、前記第１の距離よりも大きい第２の距離の範囲内に属する他の映像処理装置に対して、前記特定のオブジェクトの存在を検出するための外部センサを用いた前記特定のオブジェクトの検出処理を開始させるための要求を送信することを特徴とする請求項１乃至４の何れか１項に記載の映像処理装置。
【請求項６】
前記送信手段は、前記検出手段で前記特定のオブジェクトが検出されなくなった場合、前記第２の距離の範囲内に属する他の映像処理装置に対して、映像データから前記特定のオブジェクトを検出する処理を制限させるための要求を更に送信することを特徴とする請求項５に記載の映像処理装置。
【請求項７】
前記送信手段は、前記検出手段で前記特定のオブジェクトが検出されなくなった場合、前記第２の距離の範囲内に属する他の映像処理装置に対して、映像データから前記特定のオブジェクトを検出する処理を開始させるための要求を更に送信することを特徴とする請求項５に記載の映像処理装置。
【請求項８】
前記検出手段は、映像データから前記特定のオブジェクトを検出する処理を行う第１の検出手段と、前記特定のオブジェクトの存在を検出するための外部センサのセンサデータから前記特定のオブジェクトを検出する処理を行う第２の検出手段とを含み構成されており、
前記特定のオブジェクトが存在するか否かについて、前記第１の検出手段による第１の検出イベントと、前記第２の検出手段による第２の検出イベントとに基づいて監視する監視手段を更に有することを特徴とする請求項１乃至７の何れか１項に記載の映像処理装置。
【請求項９】
映像データから前記特定のオブジェクトを検出する処理および前記特定のオブジェクトの存在を検出するための外部センサを用いた前記特定のオブジェクトの検出処理のうちの少なくとも何れか一方の検出処理を制限させるための要求または開始させるための要求を受信する受信手段を更に有し、
前記監視手段は、前記受信手段で前記要求を受信した際に、前記第１の検出イベントおよび前記第２の検出イベントのうち、当該要求の検出処理に係るイベントの監視中でない場合には、前記要求に従って当該イベントに基づく前記監視の開始または停止を行うことを特徴とする請求項８に記載の映像処理装置。
【請求項１０】
前記監視手段は、前記受信手段で前記制限させるための要求を受信した際に、当該制限させるための要求に係るイベントの監視中である場合には、当該イベントに基づく前記監視の停止は行わないことを特徴とする請求項９に記載の映像処理装置。
【請求項１１】
映像データから前記特定のオブジェクトを検出する処理および前記特定のオブジェクトの存在を検出するための外部センサを用いた前記特定のオブジェクトの検出処理のうちの少なくとも何れか一方の検出処理を制限させるための要求または開始させるための要求を受信する受信手段を更に有し、
前記監視手段は、前記受信手段が複数の他の映像処理装置から前記要求を受信した場合、前記複数の他の映像処理装置のうち、当該映像処理装置からの距離が最も近い他の映像処理装置から受信した前記要求を優先して、前記監視を行うことを特徴とする請求項８に記載の映像処理装置。
【請求項１２】
前記センサデータは、無線通信におけるビーコンＩＤを含むビーコン信号であることを特徴とする請求項８乃至１１の何れか１項に記載の映像処理装置。
【請求項１３】
前記第２の検出手段により前記特定のオブジェクトが検出された際に、前記ビーコン信号が所定の電波強度未満であった場合、前記送信手段は、前記他の映像処理装置に対して、前記送信を行わないことを特徴とする請求項１２に記載の映像処理装置。
【請求項１４】
前記第１の検出手段は、前記特定のオブジェクトに関する画像の特徴量データに基づいて、前記映像データから前記特定のオブジェクトを検出する処理を行うことを特徴とする請求項８乃至１３の何れか１項に記載の映像処理装置。
【請求項１５】
前記距離は、論理的距離または物理的距離であることを特徴とする請求項１乃至１４の何れか１項に記載の映像処理装置。
【請求項１６】
請求項１乃至１５の何れか１項に記載の映像処理装置と、
前記特定のオブジェクトの存在を検出するための外部センサと、
前記他の映像処理装置と
を含み構成されていることを特徴とする映像処理システム。
【請求項１７】
特定のオブジェクトを検出する検出ステップと、
前記検出ステップにより特定のオブジェクトが検出された場合、映像データの処理を行う複数の他の映像処理装置のうちの当該特定のオブジェクトを含む第１の距離の範囲外に属する他の映像処理装置と、前記第１の距離の範囲内に属する他の映像処理装置とのうち、少なくとも何れか１つに対して、前記特定のオブジェクトの検出処理を制限させるための要求を送信する送信ステップと
を有することを特徴とする映像処理方法。
【請求項１８】
請求項１乃至１５の何れか１項に記載の映像処理装置の各手段としてコンピュータを機能させるためのプログラム。
【手続補正２】
【補正対象書類名】明細書
【補正対象項目名】０００６
【補正方法】変更
【補正の内容】
【０００６】
本発明の映像処理装置は、特定のオブジェクトを検出する検出手段と、前記検出手段により特定のオブジェクトが検出された場合、映像データの処理を行う複数の他の映像処理装置のうちの当該特定のオブジェクトを含む第１の距離の範囲外に属する他の映像処理装置と、前記第１の距離の範囲内に属する他の映像処理装置とのうち、少なくとも何れか１つに対して、前記特定のオブジェクトの検出処理を制限させるための要求を送信する送信手段とを有する。
また、本発明は、上述した映像処理装置による映像処理方法、上述した映像処理装置を含み構成されている映像処理システム、並びに、上述した映像処理装置の各手段としてコンピュータを機能させるためのプログラムを含む。